(57)【要約】【課題】変化に富んだ形状で遊技の興趣を大きく盛り上げることのできるパチンコ機の始動入賞口装置を提供する。【解決手段】特定入賞口に玉が入賞すると大当たりの権利が発生する始動入賞口４に、円筒カム７をプランジャ８１先端に備えたソレノイド８と、円筒カム７に係合する接触子９とを配設して、プランジャ８１を吸引、突出させることにより、円筒カム７を回転しつつ前後に移動させて始動入賞口４を開閉する。なお、カム曲線を複数の山部７１と谷部７２とからなるカム溝７３として、山部７１のうちの少なくとも一つを最も高く形成して、接触子９がこの山部７１に来たときに円筒カム７を最も後退させて始動入賞口４を玉通過可能とする。【選択図】    図２
2004337523.tif 000002
【特許請求の範囲】
【請求項１】
特定入賞口に玉が入賞すると大当たりの権利が発生する始動入賞口に、円筒カムをプランジャ先端に備えたソレノイドと、円筒カムに係合する接触子とを配設して、プランジャを吸引、突出させることにより、円筒カムを回転しつつ前後に移動させて始動入賞口を開閉するようにしたことを特徴とするパチンコ機の始動入賞口装置。
【請求項２】
カム曲線は複数の山部と谷部とからなり、山部のうちの少なくとも一つを最も高く形成して、接触子がこの山部に来たときに円筒カムが最も後退して始動入賞口が玉通過可能に解放されるようにした請求項１に記載のパチンコ機の始動入賞口装置。
【発明の詳細な説明】
【０００１】
【発明の属する技術分野】
本発明は、パチンコ機の入賞口装置に関し、特に権利発生に伴い遊技者に多大な利益をもたらすことのできる権利物タイプのパチンコ機における始動入賞口装置に関するものである。
【０００２】
【従来の技術】
権利物タイプのパチンコ機として、例えば特開２００２−２１９２２５号公報には図８に示されるように、遊技盤のほぼ中央の可変表示装置１の下方には図柄始動入賞口２を設け、この図柄始動入賞口２の下方には特定入賞口３を設け、さらに、可変表示装置１の隣には始動入賞口（第３種始動入賞口）４を有する始動入賞口装置４０を設け、始動入賞口装置４０の下方には大入賞口５に可動翼片５１を備えた大入賞口装置５０を設けたものが知られている。このような権利物タイプのパチンコ機においては、図柄始動入賞口２に玉が入賞すると可変表示装置１の表示状態が変動開始されるとともに、一定時間後に停止され、停止した可変表示装置１の表示結果が予め設定された表示に揃うと特定入賞口３が開放される。そして、特定入賞口３に玉が入賞することにより大当たりの権利が発生する。この権利発生時において始動入賞口４に玉が入賞すると大当たりが確定して可動翼片５１が回動し大入賞口５は開放されて所定時間又は所定の個数の玉を受入れることができる。大当たり確定状態の期間中に始動入賞口４に玉が入賞した場合には次のラウンドの権利を獲得することができる。そして、始動入賞口４への入賞によって大入賞口５が開放されることを一回として、最大で１６回までの繰り返しが可能である。
しかしながら、上記したような始動入賞口装置４は、凹部４１に玉を取り込んだ回転体４２が回転されることによって玉が入賞するものであったので、変化に欠けるものであった。
【０００３】
また、特開２００３−９３７１１号公報には、図９に示すように、大入賞口５内に始動入賞口４を設けたパチンコ遊技機が示されているが、この始動入賞口４は単に玉の入り口を大入賞口５内部に設けただけのものであって、極めて変化に乏しいものである。したがって、遊技の興趣を盛り上げるために、変化に富んだ従来にない機能を有する新規な始動入賞口装置４０が求められている。
【０００４】
【特許文献１】特開２００２−２１９２２５号公報（図４）
【特許文献２】特開２００３−９３７１１号公報  （図１）
【０００５】
【発明が解決しようとする課題】
本発明は上記した従来の問題点を解決し、変化に富んだ構造で遊技の興趣を大きく盛り上げることのできるパチンコ機の始動入賞口装置を提供するためになされたものである。
【０００６】
【課題を解決するための手段】
上記の課題を解決するためになされた本発明のパチンコ機の遊技盤は、特定入賞口に玉が入賞すると大当たりの権利が発生する始動入賞口に、円筒カムをプランジャ先端に備えたソレノイドと、円筒カムに係合する接触子とを配設して、プランジャを吸引、突出させることにより、円筒カムを回転しつつ前後に移動させて始動入賞口を開閉するようにしたことを特徴とするものである。
なお、カム曲線は複数の山部と谷部とからなり、山部のうちの少なくとも一つを最も高く形成して、接触子がこの山部に来たときに円筒カムが最も後退して始動入賞口が玉通過可能に解放されるようにすることができる。
【０００７】
【発明の実施の形態】
以下に図面を参照しつつ本発明の好ましい実施形態を説明する。
図１は本発明に係る始動入賞口装置４の斜視図、図２はその平面図であって、上部に上向きの始動入賞口４が形成された筐体６が基板６１に取り付けられている。始動入賞口４には円筒カム７が後方から前方に突出して臨んでいるが、この円筒カム７はソレノイド８のプランジャ８１先端に装着されている。プランジャ８１にはバネ８２が挿着されており円筒カム７を前方に付勢している。円筒カム７の外周面には山部７１と谷部７２があるカム溝７３が形成されており、このカム溝７３に係合するように接触子９が筐体６の側面６２から内向きに突設されている。
【０００８】
円筒カム７は、図３に示すように、上端外縁が略チューリップ形状に形成された下側部材７５と、下端外縁がチューリップに対応する形状の山谷に形成された上側部材７４とにより構成されており、下側部材７５の中心孔７５ａにプランジャ８１が差し込まれたうえに、下側部材７５に上側部材７４が嵌合されて円筒カム７がプランジャ８１先端に取付けられている。
【０００９】
カム溝７３は、図２、４、５に示すように、下側部材７５の上端外周縁に形成されたチューリップ状の山谷と、上側部材７４の下端外周縁に形成されたチューリップ状の山谷とが対向されてカム曲線として形成されている。そして、図５に示すように凹溝の対向する側面の山部７１及び谷部７２の位置を相対的にずらしてカム溝７３が形成してある。図では上側部材７４の山部７１は下側部材７５の山部７１より上に、上側部材７４の谷部７２は下側部材７５の谷部７２より下にずらしてあるので、接触子９は図中を下から上に進行する。接触子９は固定されたものであるので、プランジャ８１の吸引、突出により円筒カム７は上から下の方向に回転しながら進出と後退を繰り返すことになる。
【００１０】
ソレノイド８の非励磁状態において円筒カム７はバネ８２の付勢によりソレノイド８から前方に付勢されているが、カム溝７３には接触子９が嵌め込まれているので、接触子９はカム溝７３の谷部７２に位置することとなって円筒カム７の前方への突出を規制している。図２の状態では円筒カム７は前方に突出していて始動入賞口４を玉の通過が不可能な隙間として閉鎖している。
【００１１】
図５に示すカム曲線においては山部７１ａを他の山部７１より最も高く形成してあるので、プランジャ８１が吸引されて接触子７がこの山部７１ａに来た時には、円筒カム７は最も後退することとなる。この時に円筒カム７先端に形成される始動入賞口４の隙間を玉の通過可能な隙間とすれば、円筒カム７の上に乗っていて待機状態にあった玉は円筒カム７が後退した時に入賞することができ、よって次ラウンドの大当たりの権利を獲得することができる。始動入賞口４は瞬間的に拡口されれば玉は落下するので、ソレノイド８は瞬間的に励磁するのみでよい。また、通常の山部７１に接触子９があるときに玉の通過を可能とするか否かは遊技の趣向に応じて適宜隙間を調整すればよい。
【００１２】
なお、円筒カム７に形成するカム曲線は溝カム７３に限定されるものではなく、図６に示すようなリブカム７７としても差し支えはないが、この場合にはリブカム７７を２つの接触子９により挟持するのが望ましい。
【００１３】
上記した実施形態においては、始動入賞口４は大入賞口５とは別個の装置に設けたが、図７に示すように、始動入賞口４を大入賞口５と一体に形成することもできる。この装置においては、始動入賞口４に円筒カム７をプランジャ８１先端に備えたソレノイド８と、筐体６の側面の設けた図示されない接触子９とが配設されている。そして、筐体６は、その一側に斜め上方に延設された張出片６２を有し、張出片６２の基部には大入賞口５が設けられている。そして、張出片６２の基部と先端部には可動翼片５１が一対軸着されている。図示の状態では可動翼片５１は大当たり状態であって、横に回動された２枚の可動翼片５１により大入賞口５への玉の流路が形成されており、可動翼片５１に落下した玉は大入賞口５に流れ込むこととなる。この大当たり状態において、始動入賞口４の円筒カム７が前後動して玉が入賞した場合には次の大当たりのラウンドを獲得することができる。始動入賞口４に玉が入賞しなかったり、所定回数のラウンドが終了した場合には、可動翼片５１は起立して大入賞口５は閉鎖され、特別遊技状態が終了する。
【００１４】
【発明の効果】
以上に説明したように、本発明のパチンコ機の始動入賞口装置は、特定入賞口に玉が入賞すると大当たりの権利が発生する始動入賞口に、円筒カムをプランジャ先端に備えたソレノイドと、円筒カムに係合する接触子とを配設したので、プランジャを吸引、突出させることにより、円筒カムを回転しつつ前後に移動させて始動入賞口を開閉することができる。ソレノイドは瞬間的に励磁するだけで始動入賞口を開閉することができるので、電気エネルギーの無駄がない。
したがって、本発明は、従来にない新規な機構により始動入賞口を開閉して遊技の興趣を盛り上げることができるという大きな利点を有する。
【図面の簡単な説明】
【図１】本発明の始動入賞口装置の斜視図である。
【図２】本発明の始動入賞口装置の平面図である。
【図３】本発明の始動入賞口装置の要部の分解斜視図である。
【図４】円筒カムの一側面図である。
【図５】カム曲線の展開図である。
【図６】溝カム及びリブカムを例示する斜視図である。
【図７】大入賞口と一体に形成した始動入賞口装置の斜視図である。
【図８】従来のパチンコ機の遊技盤の一例を示す正面図である。
【図９】従来のパチンコ機の遊技盤の他の例を示す正面図である。
【符号の説明】
４  始動入賞口
７  円筒カム
８  ソレノイド
９  接触子
７１  カム曲線の山部
７２  カム曲線の谷部
７３  カム溝
８１  プランジャ
【図１】
2004337523.tif 000003
【図２】
2004337523.tif 000004
【図３】
2004337523.tif 000005
【図４】
2004337523.tif 000006
【図５】
2004337523.tif 000007
【図６】
2004337523.tif 000008
【図７】
2004337523.tif 000009
【図８】
2004337523.tif 000010
【図９】
2004337523.tif 000011